(57)【要約】【課題】物品のケーブルに高い正確度の巻取りと多段位置決め機能を持たせ、物品のケーブルを巻き取って収納することができ、コードリールの小型化・低コスト化が可能な、ボタン多段位置決め式単方向コードリールの提供。【解決手段】上蓋、ボタン、ぜんまい、回転盤、ケーブル、巻取り盤、底盤、下蓋から成り、前記ボタンは前記上蓋の内側に軸着され、前記上蓋に設置されたバネに付勢されて位置回復力が形成され、前記ボタンを延伸して設けた支持棒が前記回転盤の外周に設けた位置決め突起に対応し、前記ぜんまいは中心側端部及び鉤部がそれぞれ底盤の中央軸と回転盤の両者に規制されて回転盤の回転の主要な力源を形成し、前記巻取り盤は正方向円形座体と反方向円形座体の両面を備え、前記ケーブルは正方向ケーブルと反方向ケーブルに分段され、それぞれ前記巻取り盤の正方向円形座体と反方向円形座体上に巻きつけられる。  【選択図】図２
0003118583.tif 000002
【実用新案登録請求の範囲】
【請求項１】
上蓋、ボタン、ぜんまい、回転盤、ケーブル、巻取り盤、底盤、下蓋から成り、そのうち、前記上蓋は内面外側に押し当て片を備え、前記押し当て片内側にバネが嵌置され、前記バネが前記上蓋に設置された前記ボタンに対応し、前記ボタンと前記回転盤の外周に設けた位置決め突起が対応する関係位置を形成し、前記ボタンは前記上蓋の内側に軸着され、前記上蓋の押し当て片に設置されたバネにより付勢されて位置回復力が形成され、前記ボタンの前方に支持棒を延伸して設け、且つ、前記支持棒の位置は前記回転盤の外周に設けた位置決め突起に対応するものとし、前記ぜんまいは回転盤の円形座部空間に設置され、その中心側端部が底盤の中央軸に嵌合して固定され、外側端部の鉤部が回転盤円形座部の挟持片の内壁に引っ掛けられ、前記ぜんまいは中心側端部及び鉤部がそれぞれ底盤の中央軸と回転盤の両者に規制されて回転盤の回転の主要な力源を形成し、前記回転盤は巻取り盤と嵌合され、その上方の円形座部に前記ぜんまいが設置され、底盤の中央軸が前記回転盤の中心孔に穿通されて前記ぜんまいの中心側端部が嵌接されると共に、前記回転盤の円形座部の外周面に１つまたは１つ以上の位置決め突起を設け、これら位置決め突起が前記ボタンの支持棒に対応し、前記ケーブルは前記巻取り盤に設けた挿通孔から反方向円形座体側へ引き出され、正方向ケーブルと反方向ケーブルに分段され、それぞれ前記巻取り盤の正方向円形座体と反方向円形座体上に巻きつけられると共に、正方向ケーブルと反ケーブルの分段点は反方向円形座体の固定片により固定され、反方向ケーブルの端を底盤の中央軸に設けた下開口部から穿出し、さらに底盤の位置決め槽により位置決めし、反方向ケーブルの先端が固定され、前記巻取り盤は正方向円形座体と反方向円形座体の両面を備え、そのうち、正方向円形座体に設けた嵌合部と前記回転盤の嵌入孔が相互に対応して嵌合され、正方向ケーブルが正方向円形座体の巻き取り座部外周にまきつけられ、且つ、巻き取り座部に設けた挿通孔から前記反方向円形座体へと引き出され、さらに反方向円形座体の固定片により位置決めされて反方向に巻きつけられる反方向ケーブルとなり、前記底盤は中央軸を備え、中央軸底部に下開口部を設け、反方向ケーブルの端を前記下開口部から穿出し、さらに底盤の位置決め槽で押さえて位置決めして前記ケーブルの端を固定すると共に、前記下蓋と前記上蓋とを組み立てて成る、ボタン多段位置決め式単方向コードリール。
【請求項２】
前記正方向ケーブルと反方向ケーブルが同一の前記ケーブルを分段して成る、請求項１に記載のボタン多段位置決め式単方向コードリール。
【請求項３】
前記正方向ケーブル端を導電端または伝送端とし、前記反方向ケーブル端を該コードリールが設置される物品に接続した、請求項１に記載のボタン多段位置決め式単方向コードリール。
【考案の詳細な説明】
【技術分野】
【０００１】
本考案はボタン多段位置決め式単方向コードリールに関し、本考案の設計は、単方向のケーブル引き出し・巻取り機能を提供し、従来の伝送ケーブルまたはケーブルを備えた物品（例：マウス、ネットワーク配線、ＵＳＢケーブル等）のケーブルの問題に起因する不便さを解決することを目的としており、本考案の構造理念は、ぜんまいの力を復帰動力とし、且つ、回転盤の位置決め構造及び同じ一本の正方向ケーブルと反方向ケーブルを巻いて成る構造下において、必要な長さと距離に基づき、ケーブルを単方向に一定の長さ引き出すと自動的に位置決めされる機能を備え、この構造により、コンピュータに用いるマウスを実施例としたとき、ケーブル長さを必要に応じて決定し、最適な使用機能と状態を得ることができ、同時にケーブルが長すぎて絡まったり、短すぎて使用しにくいといった問題を回避することができる、ボタン多段位置決め式単方向コードリールに関する。
【背景技術】
【０００２】
従来の長すぎるケーブルの処理方法は、一般にケーブルを折り曲げてバンドで結束するという方法がとられるが、この方法では外観に優れず乱雑な状態となるという問題だけでなく、ケーブルが絡みやすいという重大な問題がある。特に、ケーブルを折り曲げた状態で長期間放置すると、ケーブルの使用上の安全性と品質（電力供給の安全性及びデータ伝送の正確性）にも悪影響がある。このため、最高品質と最高効率及び最大の利便性を得るために、ケーブルの収納の問題を解決することが本考案の主要な課題である。
【０００３】
前述に基づき、現在市場にはボール位置決め構造の二方向コードリールがあるが、このようなコードリールは同様にぜんまいの力を利用してケーブルの巻取りを行うものであり、操作と実施は「二方向の引き出しと巻き取り」をその訴求点としており、さらに軌道とボール位置決め構造を組み合わせ、ボールで位置決めする方式の二方向引き出し・巻き取りが可能なコードリールとなっている。
【０００４】
このようなコードリールを分析すると、その機能性は二方向のケーブル引き出し・巻取りに制限され、組み合わせる物品（単方向のケーブル引き出しが不能）と実用的付加価値に大きな制限が生まれるだけでなく、ボールに対応させる軌道の設計も非常に困難であると同時に高精度の寸法設計が要求され、金型の開設においても困難であり、組み立てにおける不良率も大幅にアップしてしまい、生産コストの増加を招き、直接的に製品の競争力が失われてしまう。また、ボールと軌道間に必然的に発生する磨耗や磨耗後の隙間が大きすぎるという問題により、コードリールの位置決め機能が失われてしまうこともあるため、このような二方向コードリールには位置決めの引っ掛けが外れてしまったり、位置決めができなくなったり等の欠陥が発生しやすく、品質制御上の最大の問題となるだけでなく、同時にその持つべき使用寿命も短縮されてしまう。
【０００５】
このほか、従来の二方向コードリールは、ボールに軌道を組み合わせた位置決め構造を採用しているため、ケーブルを巻き取るとき、一度に全部巻き取るという動作機制があり、少しずつ巻き取るという機能はなく、ケーブルを引き出した後の位置決め精度も不十分なため、実際の使用において、ケーブルが長すぎたり（コードリールがぶら下がったりぐらついたりという現象が発生する）、短すぎたりしてしまい、理想的な制御と実用性を得ることが難しい。
【考案の開示】
【考案が解決しようとする課題】
【０００６】
前述の問題に鑑みて、本考案の目的は物品のケーブルに高い正確度の巻取りと多段位置決め機能を持たせ、物品のケーブルを使用しないとき、ケーブルを巻き取って収納することができ、コードリールの小型化・低コスト化が可能な、ボタン多段位置決め式単方向コードリールの設計を提供することにある。
【課題を解決するための手段】
【０００７】
本考案のボタン多段位置決め式単方向コードリールは、上蓋、ボタン、ぜんまい、回転盤、ケーブル、巻取り盤、底盤、下蓋から成り、そのうち、前記ボタンは前記上蓋の内側に軸着され、前記上蓋の押し当て片に設置されたバネにより付勢されて位置回復力が形成され、前記ボタンの前方に延伸して設けた支持棒が前記回転盤の外周に設けた位置決め突起に対応するものとし、前記ぜんまいは中心側端部及び鉤部がそれぞれ底盤の中央軸と回転盤の両者に規制されて回転盤の回転の主要な力源を形成し、前記回転盤は巻取り盤と嵌合され、前記巻取り盤は正方向円形座体と反方向円形座体の両面を備え、前記ケーブルは前記巻取り盤に設けた挿通孔から反方向円形座体側へ引き出され、正方向ケーブルと反方向ケーブルに分段され、それぞれ前記巻取り盤の正方向円形座体と反方向円形座体上に巻きつけられると共に、正方向ケーブルと反ケーブルの分段点は反方向円形座体の固定片により固定され、反方向ケーブルの端を底盤の中央軸に設けた下開口部から穿出し、さらに底盤の位置決め槽により位置決めし、反方向ケーブルの先端が固定され、前記下蓋と前記上蓋とを組み立てて成ることを特徴とする。        
【考案の効果】
【０００８】
本考案の設計により得られる利点は、以下のように説明することができる。    
１、本考案を利用すれば、独立したケーブル材のコードリールとしての利用だけでなく、物品の中に組み込んで正方向ケーブル側をケーブルの引き出し側とし、反方向ケーブル側を設置する物品に接続して、物品のケーブルに高機能の巻取りと多段位置決め機能を持たせることができ、特に、物品のケーブルを使用しないとき、ケーブルを巻き取って収納することができるため、物品からケーブルが出ていない状態とすることができ、操作上の利便性と実用性を持たせることができる。
２、本考案の位置決め構造を利用すれば、位置決め機能を多段方式とすることができるだけでなく、ケーブルを引き出したときに高い正確度を得ることができる。
３、本考案の位置決め解放機能を利用すれば、ケーブルの巻き取りを迅速且つ容易に操作することができる。
４、本考案の構造を利用すれば、コードリール装置をより小型化・低コスト化することができ、基礎的なケーブルケースや小型のケーブルを必要とする物品に適用できる。
【考案を実施するための最良の形態】
【０００９】
以下、本考案の実施例を図面に基づき詳細に説明する。
【００１０】
図１、図２に示すように、本考案の全体構造は、上蓋１、ボタン２、ぜんまい３、回転盤４、ケーブル５、巻取り盤６、底盤７、下蓋８を組み立てて成り、そのうち、ぜんまい３を回転盤４の円形座部４１内に設置し、且つ、底盤７の中央軸７１を回転盤中心孔４２に穿通し、ぜんまい３の中心側端部３１を底盤の中央軸７１に嵌合して固定すると共に、ぜんまい３の外側端部は鉤部３２を回転盤円形座部４１の挟持片４１１の内壁に引っ掛け、ぜんまい３は中心側端部３１及び鉤部３２がそれぞれ底盤７と回転盤４の両者に規制される。このため、回転盤４が正方向または反方向に回転するとき、ぜんまい３が動かされてきつくなったり、緩くなったりする。
【００１１】
前述の回転盤４と巻取り盤６の両者を嵌合して接続し、さらに底盤７の中央軸７１を回転盤４に穿通し、ぜんまい３を嵌置して接続し、回転盤４の円形座部４１の空間にぜんまい３を設置する。且つ、回転盤円形座部４１の外周面に１つまたは１つ以上の位置決め突起４３を設け、これらの位置決め突起４３の設置数量により、巻取り盤６１回転ごとのケーブルの位置決め数と位置決め距離を決定することができ、精確にケーブルの引き出し制御を行うことができる。
【００１２】
図２、図３、図４、図５、図８に示すように、巻き取り盤６は正方向円形座体６１と反方向円形座体６２の両面を備え、そのうち、正方向円形座体６１は巻き取り座部６１１上に複数の嵌合部６１２を備え、これらの嵌合部６１２が回転盤４の対応する嵌入孔４４と相互に嵌合される。正方向ケーブル５は巻き取り座部６１１外周に巻きつけられ、回転盤４と巻き取り盤６の間に巻きつけられて位置する。次に、正方向ケーブル５を巻き取り座部６１１の挿通孔６１３に貫通させて反方向円形座体６２に引き出した後、さらに反方向円形座体６２の固定片６１４で位置決めし、反方向の巻き付けを行うことができる。最後に、底盤中央軸７１に開設した下開口部７１１からケーブルを引き出し、且つ、底盤７に設けた位置決め槽７２でさらに押圧して固定し、このケーブル端が固定された状態となる。このように、正方向ケーブルと反方向ケーブル５の分段点が嵌置された固定状態となるため、正方向ケーブル５を引き出しても反方向ケーブル５が引っ張られたり影響を受けたりすることはなく、正確な単方向引き出し機能を得ることができる。正方向ケーブル５を引き出したとき、反方向ケーブル５は緩く巻かれた状態であり、正方向ケーブル５を巻き取るときも反方向ケーブル５は緩く巻かれた状態のままである。このほか、正方向ケーブル５は巻き取り座部６１１に巻きつけられ、反方向ケーブル５は中央軸７１に巻きつけられるため、両者が巻きつけられる軸径が異なり、正方向ケーブル５の全体長さは反方向ケーブル５の全体長さより長いという特性が得られる。
【００１３】
図６に示すように、本考案の位置決め機能は、回転盤４とボタン２の両者の対応する関係位置により達成される。ボタン２は軸孔２１で上蓋１内側の外周面近くに軸着され、且つ、押し当て片１１に対して設置されたバネ１１１により付勢され、ボタン２が押された後の位置回復機能が形成される。次に、ボタン２の前方に支持棒２２を延伸して設け、その位置が回転盤４外周に設けた位置決め突起４３に対応するようにする。図７に示すように、ボタン２が押されると、ボタン２は押す力により支持棒２２に若干の揺動を形成し、この揺動動作が位置決めと位置決め解放の２つの基本動作を形成する。このため、巻取り盤６からケーブル５を引き出すとき、ボタン２の支持棒２２と位置決め突起４３間の関係は、支持棒２２が位置決め突起４３上を滑り支持棒２２は位置決めを形成せず、ケーブル５を必要な長さまで引き出した後に放すとぜんまい力の作用で巻取り盤６が反方向に回転し、このとき、ボタン２の支持棒２２が最初に回転して戻ってきた位置決め突起４３に押し当たり、ケーブルの位置決めを行うことができる。引き出したケーブル５を巻き戻すときは、ボタン２を押すと支持棒２２が揺動して位置決め突起４３から離脱し、巻取り盤６が回転してケーブル５を巻き取ることができる。このほか、ケーブル５を巻き取る際、ボタン２を巧みに制御することで、段階式に巻き取ることもでき、理想的な利便性の高い操作性を得ることができる。
【図面の簡単な説明】
【００１４】
【図１】本考案の最良の実施例の外観と操作を示す立体斜視図である。
【図２】本考案の各部部品を示す立体分解図である。
【図３】本考案の正方向ケーブルを巻取り盤に巻きつけた状態を示す平面図である。
【図４】本考案のケーブルを巻取り盤に巻きつけた状態を示す側面図である。
【図５】本考案の反方向ケーブルを巻取り盤の反面に巻きつけた状態を示す平面図である。
【図６】本考案のボタンと上蓋間の関係位置と動作を示す平面図である。
【図７】本考案のボタンと回転盤間の関係位置と動作を示す平面図である。
【図８】本考案の組み立て後の状態と動作を示す断面図である。
【符号の説明】
【００１５】
１        上蓋
１１      押し当て片
１１１    バネ
２        ボタン
２１      軸孔
２２      支持棒
３        ぜんまい
３１      中心側端部
３２      鉤部
４        回転盤
４１      円形座部
４１１    挟持片
４２      回転盤中心孔
４３      位置決め突起
４４      嵌入孔
５        ケーブル
６        巻取り盤
６１      正方向円形座体
６１１    巻き取り座部
６１２    嵌合部
６１３    挿通孔
６１４    固定片
６２      反方向円形座体
７        底盤
７１      中央軸
７１１    下開口部
７２      位置決め槽
８        下蓋    
【図１】
0003118583.tif 000003
【図２】
0003118583.tif 000004
【図３】
0003118583.tif 000005
【図４】
0003118583.tif 000006
【図５】
0003118583.tif 000007
【図６】
0003118583.tif 000008
【図７】
0003118583.tif 000009
【図８】
0003118583.tif 000010